(57)【要約】【課題】回路基板と規制部材の結合強度の向上を図る。【解決手段】光源ユニット３は、ＬＥＤモジュール及び点灯装置５を収容する筐体６と、筐体６に対する点灯装置５の変位を規制する規制部材とを備える。筐体６は、長尺の底壁と、底壁の長手方向に沿った両端から前方へ突出する一対の側壁６１とを有する。一対の側壁６１の各々は、回路基板５０の長手方向に沿った両端縁と回路基板５０の長手方向に沿って変位可能に係合する係合溝６３を有する。規制部材は、筐体６に固定されるねじ止め部８４０と、複数の突起８４１と、ねじ止め部８４０及び複数の突起８４１を支持する底板部８４とを有する。回路基板５０は、回路基板５０の長手方向の端部に設けられて複数の突起８４１のうちの対応する１つの突起８４１とかん合する複数のかん合孔５０７を有する。【選択図】        図１１
2019067629.tif 000002
【特許請求の範囲】
【請求項１】
長尺の基板の前面に１つ以上のＬＥＤが実装されたＬＥＤモジュールと、
長尺の回路基板を有して前記ＬＥＤモジュールを点灯させる点灯装置と、
前記ＬＥＤモジュール及び前記点灯装置を収容する筐体と、
前記筐体に対する前記点灯装置の変位を規制する規制部材と
を備え、
前記筐体は、
長尺の底壁と、
前記底壁の長手方向に沿った両端から前方へ突出する一対の側壁と
を有し、
前記一対の側壁の各々は、前記回路基板の長手方向に沿った両端縁と前記回路基板の長手方向に沿って変位可能に係合する係合溝を有し、
前記規制部材は、
前記筐体に固定される固定部と、
複数のかん合部と、
前記固定部及び前記複数のかん合部を支持する支持体と
を有し、
前記回路基板は、前記回路基板の長手方向の端部に設けられて前記複数のかん合部のうちの対応する１つのかん合部とかん合する複数の被かん合部を有する
ことを特徴とする照明装置。
【請求項２】
前記複数の被かん合部の各々は、前記回路基板の長手方向と交差する方向に沿って前記複数のかん合部のうちの対応する１つのかん合部とかん合するように前記回路基板に設けられている
ことを特徴とする請求項１記載の照明装置。
【請求項３】
前記複数のかん合部の各々は、前記回路基板の厚み方向に沿って前記支持体から突出する突起状に形成され、
前記複数の被かん合部の各々は、前記回路基板を前記厚み方向に貫通する孔状に形成されている
ことを特徴とする請求項２記載の照明装置。
【請求項４】
前記底壁は、前記底壁を前後方向に貫通するねじ挿通孔を有し、
前記固定部は、前記ねじ挿通孔に挿通されるねじとねじ締結される
ことを特徴とする請求項１〜３のいずれか１項に記載の照明装置。
【請求項５】
前記筐体の長手方向の両端に取り付けられて前記筐体の長手方向の端部を閉じるエンド部材を備え、
前記エンド部材は、前記規制部材を有している
ことを特徴とする請求項１〜４のいずれか１項に記載の照明装置。
【請求項６】
前記エンド部材は、前記筐体に設けられる被係合部に対して、前記筐体の長手方向に沿って前記被係合部に係合する係合突起を有する
ことを特徴とする請求項５記載の照明装置。
【請求項７】
前記被係合部は、前記側壁の前記係合溝からなる
ことを特徴とする請求項６記載の照明装置。
【請求項８】
前記点灯装置は、前記回路基板から前記回路基板の長手方向に沿って引き出される電線を有し、
前記エンド部材は、前記回路基板の短手方向に沿って前記電線と対向する側板部を有する
ことを特徴とする請求項５〜７のいずれか１項に記載の照明装置。
【請求項９】
請求項１〜８のいずれかの照明装置と、
前記照明装置を支持する器具本体と
を有する
ことを特徴とする照明器具。
【請求項１０】
請求項９の照明器具を複数有し、
複数の前記照明器具は、一列に並べて配置された状態で隣り合う２つの前記照明器具を互いに電気的に接続する接続部を有している
ことを特徴とする照明システム。
【発明の詳細な説明】
【技術分野】
【０００１】
本発明は、照明装置、照明器具並びに照明システムに関する。より詳細には、本発明は、光源と当該光源を点灯させる点灯装置を備える照明装置、当該照明装置と器具本体を有する照明器具、並びに当該照明器具を複数有する照明システムに関する。
【背景技術】
【０００２】
従来の照明装置の一例として、特許文献１記載の直管形ランプを例示する。特許文献１記載の直管形ランプは、長尺状の筒体と、実装基板にＬＥＤが実装されてなるＬＥＤユニットと、筐体の内部に配された電源ユニットと、筐体を内部に収容する筒状の透光性カバー体と、透光性カバー体の両端を塞ぐ蓋体とを備える。電源ユニットは、ＬＥＤに供給する電力を生成するための回路を構成する複数個の電子部品が回路基板に実装されて構成されている。回路基板は、長尺形状に形成されている。回路基板の長手方向の一方の端部に固定孔が設けられている。この固定孔に位置決め部材の凸部が挿入されて係合することにより、筐体内において電源ユニット（回路基板）が位置決めされる。
【先行技術文献】
【特許文献】
【０００３】
【特許文献１】特開２０１７−３３７３０号公報
【発明の概要】
【発明が解決しようとする課題】
【０００４】
ところで、特許文献１記載の従来例（直管形ランプ）では、凸部と固定孔が１つずつしか設けられておらず、凸部と固定孔とを介した位置決め部材（規制部材）と回路基板の結合強度の向上を図ることが困難であった。
【０００５】
本発明の目的は、回路基板と規制部材の結合強度の向上を図ることができる照明装置、照明器具並びに照明システムを提供することである。
【課題を解決するための手段】
【０００６】
本発明の一態様に係る照明装置は、長尺の基板の前面に１つ以上のＬＥＤが実装されたＬＥＤモジュールと、長尺の回路基板を有して前記ＬＥＤモジュールを点灯させる点灯装置とを備える。前記照明装置は、前記ＬＥＤモジュール及び前記点灯装置を収容する筐体と、前記筐体に対する前記点灯装置の変位を規制する規制部材とを備える。前記筐体は、長尺の底壁と、前記底壁の長手方向に沿った両端から前方へ突出する一対の側壁とを有する。前記一対の側壁の各々は、前記回路基板の長手方向に沿った両端縁と前記回路基板の長手方向に沿って変位可能に係合する係合溝を有する。前記規制部材は、前記筐体に固定される固定部と、複数のかん合部と、前記固定部及び前記複数のかん合部を支持する支持体とを有する。前記回路基板は、前記回路基板の長手方向の端部に設けられて前記複数のかん合部のうちの対応する１つのかん合部とかん合する複数の被かん合部を有する。
【０００７】
本発明の一態様に係る照明器具は、前記照明装置と、前記照明装置を支持する器具本体とを有する。
【０００８】
本発明の一態様に係る照明システムは、前記照明器具を複数有している。複数の前記照明器具は、一列に並べて配置された状態で隣り合う２つの前記照明器具を互いに電気的に接続する接続部を有している。
【発明の効果】
【０００９】
本発明の照明装置、照明器具並びに照明システムは、回路基板と規制部材の結合強度の向上を図ることができるという効果がある。
【図面の簡単な説明】
【００１０】
【図１】図１は、本発明の一態様に係る照明器具の分解斜視図である。
【図２】図２は、同上の照明器具の正面図である。
【図３】図３は、同上の照明器具の下面図である。
【図４】図４は、同上の照明器具の背面図である。
【図５】図５は、同上の照明器具の左側面図である。
【図６】図６は、同上の照明器具の右側面図である。
【図７】図７は、同上の照明器具の縦断面図である。
【図８】図８は、同上の照明器具の横断面図である。
【図９】図９は、本発明の一実施形態に係る照明装置（光源ユニット）の斜視図である。
【図１０】図１０は、同上の光源ユニットの分解斜視図である。
【図１１】図１１は、同上の光源ユニットにおける一部破断した要部の斜視図である。
【図１２】図１２は、同上の照明器具における器具本体の正面図である。
【図１３】図１３は、同上の器具本体の左側面図である。
【図１４】図１４は、本発明の一態様に係る照明システムを構成する２台の照明器具の斜視図である。
【図１５】図１５は、同上の２台の照明器具の一部破断した下面図である。
【図１６】図１６は、同上の２台の照明器具の一部省略した縦断面図である。
【図１７】図１７は、同上の照明システムにおける照明器具と入線金具の斜視図である。
【図１８】図１８は、同上の照明器具と入線金具の分解斜視図である。
【図１９】図１９は、同上の照明システムにおける照明器具と終端金具の斜視図である。
【発明を実施するための形態】
【００１１】
以下、本発明に係る照明装置、照明器具並びに照明システムの実施形態について、図面を参照して詳細に説明する。下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１２】
本実施形態の照明器具１は、図１〜図６に示すように、照明装置に相当する光源ユニット３と、光源ユニット３を支持する器具本体２とを有している。ただし、以下の説明においては、照明器具１が造営材である壁に設置される場合を想定している。そのため、特に断りのない限り、図１に矢印で示す前後、左右、上下の各向きを照明器具１並びに光源ユニット３、器具本体２の前後、左右、上下の各向きと規定する。なお、照明器具１が設置される造営材は壁に限定されず、天井や床などの壁以外の造営材に照明器具１が設置される場合もある。
【００１３】
光源ユニット３は、図７〜図１０に示すように、２つのＬＥＤモジュール４と、点灯装置５と、筐体６と、カバー７と、２つのエンド部材８とを備えている。
【００１４】
２つのＬＥＤモジュール４はそれぞれ、ＬＥＤ（Light Emitting Diode）４０と、複数のＬＥＤ４０を前面に実装したＬＥＤ基板４１と、ＬＥＤ基板４１の前面に実装された複数のレセプタクルコネクタ４２と、複数の電線４３とを有している。
【００１５】
ＬＥＤ基板４１は、例えば、ガラス布基材エポキシ樹脂基板などの樹脂製の絶縁基板により、左右方向を長手方向とする長尺の矩形平板状に形成されている。ただし、２つのＬＥＤ基板４１は、長手方向の寸法が異なっている。したがって、以下の説明においては、ＬＥＤ基板４１の長手方向の寸法が長い方のＬＥＤモジュール４を第１のＬＥＤモジュール４Ａと呼び、ＬＥＤ基板４１の長手方向の寸法が短い方のＬＥＤモジュール４を第２のＬＥＤモジュール４Ｂと呼ぶ場合がある。
【００１６】
ＬＥＤ４０は、例えば、照明用白色ＬＥＤである。ただし、ＬＥＤ４０は、有機発光ダイオード（Organic Light Emitting Diode）であっても構わない。ＬＥＤ４０は、ＬＥＤ基板４１の短手方向（上下方向）の中央においてＬＥＤ基板４１の長手方向（左右方向）に沿って等間隔に１列に並ぶように実装されている（図１０参照）。
【００１７】
第１のＬＥＤモジュール４ＡのＬＥＤ基板４１の前面には、合計４つのレセプタクルコネクタ４２（４２Ａ、４２Ｂ、４２Ｃ、４２Ｄ）が実装されている。４つのレセプタクルコネクタ４２Ａ〜４２Ｄのうちの２つのレセプタクルコネクタ４２Ａ、４２Ｂは、第１のＬＥＤモジュール４ＡのＬＥＤ基板４１の右側の端部前面においてＬＥＤ４０の上下両側に振り分けて実装されている。
【００１８】
残り２つのレセプタクルコネクタ４２Ｃ、４２Ｄは、第１のＬＥＤモジュール４ＡのＬＥＤ基板４１の長手方向中央の前面においてＬＥＤ４０の下側に上下方向に並べて実装されている。ただし、２つのレセプタクルコネクタ４２Ｃ、４２Ｄは、左右方向にずらして実装されている（図１０参照）。
【００１９】
第１のＬＥＤモジュール４ＡのＬＥＤ基板４１において、２つのレセプタクルコネクタ４２Ｃ、４２Ｄよりも中央寄り（右寄り）の下端部に３つの電線挿通溝４４（４４Ａ、４４Ｂ、４４Ｃ）が設けられている。
【００２０】
第２のＬＥＤモジュール４ＢのＬＥＤ基板４１の前面には、２つのレセプタクルコネクタ４２（４２Ｅ、４２Ｆ）が実装されている。２つのレセプタクルコネクタ４２Ｅ、４２Ｆは、第２のＬＥＤモジュール４ＢのＬＥＤ基板４１の左側の端部前面においてＬＥＤ４０の上下両側に振り分けて実装されている。
【００２１】
複数（図示例では４本）の電線４３（４３Ａ、４３Ｂ、４３Ｃ、４３Ｄ）のうち１本の電線４３Ａは、第１のＬＥＤモジュール４Ａのレセプタクルコネクタ４２Ａと第２のＬＥＤモジュール４Ｂのレセプタクルコネクタ４２Ｅとを電気的に接続している（図１０参照）。
【００２２】
また、電線４３Ｂは、第１のＬＥＤモジュール４Ａのレセプタクルコネクタ４２Ｂと第２のＬＥＤモジュール４Ｂのレセプタクルコネクタ４２Ｆとを電気的に接続している。つまり、第１のＬＥＤモジュール４Ａの複数のＬＥＤ４０と第２のＬＥＤモジュール４Ｂの複数のＬＥＤ４０とは、２本の電線４３Ａ、４３Ｂと４つのレセプタクルコネクタ４２Ａ、４２Ｂ、４２Ｅ、４２Ｆとによって電気的に接続されている。
【００２３】
残り２本の電線４３Ｃ、４３Ｄのうちの１本の電線４３Ｃは、第１のＬＥＤモジュール４Ａのレセプタクルコネクタ４２Ｃとプラグコネクタ４５とを電気的に接続している。もう１本の電線４３Ｄは、第１のＬＥＤモジュール４Ａのレセプタクルコネクタ４２Ｄとプラグコネクタ４５とを電気的に接続している（図１０参照）。これら２本の電線４３Ｃ、４３Ｄは、左端の電線挿通溝４４Ａに前方から後方に挿通された後、中央の電線挿通溝４４Ｂに後方から前方へ挿通され、さらに、右端の電線挿通溝４４Ｃに前方から後方へ挿通される（図１０参照）。つまり、ＬＥＤ基板４１は、３つの電線挿通溝４４Ａ、４４Ｂ、４４Ｃに挿通させることによって２本の電線４３Ｃ、４３Ｄを張力止めしている。なお、２本の電線４３Ｃ、４３Ｄの先端に設けられているプラグコネクタ４５は、後述する点灯装置５の出力コネクタ５００と電気的に接続される。
【００２４】
点灯装置５は、外部の電源（例えば、商用の電力系統）から供給される交流電力を直流電力に変換する電力変換回路と、外部から受け取る制御信号に応じて電力変換回路を制御する制御回路とを有している。電力変換回路は、例えば、力率改善回路と、降圧チョッパ回路（バックコンバータ）とを有している。制御回路は、例えば、バックコンバータをＰＷＭ（Pulse Width Modulation）制御することによって出力コネクタ５００から出力する直流電流を調整してＬＥＤモジュール４を調光するように構成されている。ただし、このような電力変換回路及び制御回路の回路構成は従来周知であるから詳細な回路構成の図示及び説明は省略する。
【００２５】
点灯装置５は、回路基板５０を備えている（図１０参照）。回路基板５０は、例えば、長尺の矩形平板状に形成されている。回路基板５０には電力変換回路及び制御回路を構成する種々の回路部品５８が実装されている。
【００２６】
回路基板５０の前面における長手方向の一端（右端）に第１端子台５１が実装されている。第１端子台５１は、２極のねじなし締結具を有する端子台である。そして、第１端子台５１の各極に、２本の第１電源線５２のうちの対応する第１電源線５２の１本がそれぞれ電気的に接続されている。なお、２本の第１電源線５２の各導体が第１電源コネクタ５３の２つのコンタクトのうちの対応するコンタクトと電気的に接続されている。
【００２７】
回路基板５０の前面における左端に第２端子台５４が実装されている。第２端子台５４は、第１端子台５１と同じ２極のねじなし締結具を有する端子台である。そして、第２端子台５４の各極に、２本の第２電源線５５のうちの対応する第２電源線５５の１本がそれぞれ電気的に接続されている。さらに、２本の第２電源線５５の各導体が第２電源コネクタ５６の２つのコンタクトのうちの対応するコンタクトと電気的に接続されている。なお、第１端子台５１の各極と第２端子台５４の各極とは、回路基板５０の導体によって電気的に接続されている。また、第１電源コネクタ５３であるプラグコネクタは、第２電源コネクタ５６であるレセプタクルコネクタと接続可能に構成されている。
【００２８】
さらに、回路基板５０の前面における左端には、１つの出力コネクタ５００と、２つの制御用コネクタ５０１、５０２とが実装されている。出力コネクタ５００は、回路基板５０の導体を介してバックコンバータの出力端子と電気的に接続されている。そして、出力コネクタ５００は、ＬＥＤモジュール４（４Ａ）の２本の電線４３Ｃ、４３Ｄの先端に設けられているプラグコネクタ４５と接続される。
【００２９】
また、２つの制御用コネクタ５０１、５０２の各々に、制御信号を伝送するための信号ケーブル５０３、５０４が電気的に接続される。一方の制御用コネクタ５０１と電気的に接続される信号ケーブル５０３は、回路基板５０の左側に引き出されている。他方の制御用コネクタ５０２と電気的に接続される信号ケーブル５０４は、回路基板５０の右側に引き出されている。一方の信号ケーブル５０３の先端には第１信号コネクタ５０５が電気的に接続されている。他方の信号ケーブル５０４の先端には第２信号コネクタ５０６が電気的に接続されている。また、第１信号コネクタ５０５であるレセプタクルコネクタは、第２信号コネクタ５０６であるプラグコネクタと接続可能に構成されている。
【００３０】
筐体６は、長尺の底壁６０と、底壁６０の長手方向に沿った上端及び下端から前方へ突出する一対の側壁６１とを有する角樋状に形成されている（図１０参照）。なお、筐体６は、ポリカーボネート樹脂などの合成樹脂の押出成形体である。
【００３１】
各側壁６１の外側面には内側に凹んだ凹所６１０が形成されている（図８及び図１０参照）。
【００３２】
各側壁６１には被係合部６２がそれぞれ設けられている。被係合部６２は、長尺の矩形平板状であって、凹所６１０の後端から前方に向かって凹所６１０の底面と平行に突出するように形成されている（図８参照）。
【００３３】
各側壁６１には、係合溝６３と係合突部６４がそれぞれ設けられている。係合溝６３は、側壁６１の内側面の後端部分において、側壁６１の長手方向（左右方向）の全長にわたって上下方向に凹むように形成されている（図８及び図１０参照）。
【００３４】
係合突部６４は、側壁６１の内側面の前端部分において、側壁６１の長手方向（左右方向）の全長にわたって上下方向に突出するように形成されている（図８及び図１０参照）。なお、図示は省略しているが、底壁６０の長手方向（左右方向）の両端寄りの位置に円形のねじ挿通孔６００がそれぞれ１つずつ貫通している。
【００３５】
カバー７は、前方から見た形状が長方形状であるカバー本体７０と、カバー本体７０の一対の長辺の各々から後方へ突出する一対の脚部７１とを有している（図１０参照）。カバー本体７０と一対の脚部７１とは、例えば、ポリカーボネート樹脂などの合成樹脂の押出成形によって一体に形成されている。
【００３６】
カバー本体７０は、前方に向かって弧状に湾曲している。カバー本体７０は、ＬＥＤモジュール４から放射される光を透過及び拡散させるように構成されている（図９参照）。
【００３７】
一対の脚部７１の各々は、長尺の板状に形成されている。各脚部７１は、保持部７２及び引掛部７３を有している（図１０参照）。
【００３８】
保持部７２は、脚部７１の内側面における前端部分において、脚部７１の長手方向（左右方向）の全長にわたって上下方向に突出する一対の突片７２０を有している。一対の突片７２０は、前後方向に間隔を空けて対向している。保持部７２は、一対の突片７２０の間にＬＥＤ基板４１の端部を挟み込むようにしてＬＥＤモジュール４を保持する（図８参照）。
【００３９】
引掛部７３は、長尺の三角柱状に形成されている。引掛部７３は、脚部７１の外側面における後端部分において、脚部７１の長手方向の全長にわたって上下方向に突出している（図８及び図１０参照）。引掛部７３は、筐体６の側壁６１に設けられている係合突部６４に後方から引っ掛かる（図８参照）。
【００４０】
２つのエンド部材８は、互いにほぼ同じ構造を有している（図１０参照）。なお、以下の説明においては、カバー７の左側に配置されるエンド部材８を第１のエンド部材８Ａと呼び、カバー７の右側に配置されるエンド部材８を第２のエンド部材８Ｂと呼ぶ場合がある。
【００４１】
エンド部材８は、第１エンド部８１、第２エンド部８２、連結部８３を有している。エンド部材８は、更に、底板部８４、一対の側板部８５、一対の突部８６を有している。なお、エンド部材８は、ポリブチレンテレフタレート樹脂などの合成樹脂の成形体で構成されている。
【００４２】
第１エンド部８１は、おおよそ半円板状に形成されている（図５及び図６参照）。第１エンド部８１の内側面（カバー７と対向する側の面）に弧状のリブ８１０が設けられている（図８参照）。
【００４３】
第２エンド部８２は、おおよそ四角形の平板状に形成されている（図５及び図６参照）。第２エンド部８２の外側（第１エンド部８１と対向する側）の側面にボス８２０が形成されている。ボス８２０は、軸方向が前後方向と平行となる略半円筒形状に形成されている。ボス８２０の後面に開口が設けられている。ボス８２０の開口からタッピンねじがねじ込まれる。つまり、ボス８２０の後面に、後述する紐保持金具８２２がねじ止めされる。
【００４４】
第１のエンド部材８Ａの第２エンド部８２には、第２電源コネクタ５６が取り付けられている（図７参照）。また、第１のエンド部材８Ａの第２エンド部８２には、信号ケーブル５０３が取り付けられている（図５参照）。信号ケーブル５０３は、第２エンド部８２を貫通した状態で第２エンド部８２に取り付けられている。
【００４５】
第２のエンド部材８Ｂの第２エンド部８２には、第１電源線５２及び信号ケーブル５０４が取り付けられている（図６及び図７参照）。第１電源線５２及び信号ケーブル５０４は、第２エンド部８２を貫通した状態で第２エンド部８２に取り付けられている。ただし、第１電源線５２及び信号ケーブル５０４には張力止め５７が取り付けられている（図７参照）。
【００４６】
連結部８３は、前後方向から見た形状が長方形である底面部８３０と、底面部８３０の上下両端からそれぞれ前方へ突出する一対の側面部８３１とを有している（図１０参照）。底面部８３０及び一対の側面部８３１の長手方向の一方の端部に第１エンド部８１が連結され、底面部８３０及び一対の側面部８３１の長手方向の他方の端部に第２エンド部８２が連結されている（図７及び図１０参照）。
【００４７】
底面部８３０は、各側面部８３１から底板部８４の上下方向の中央に向かうにつれて階段状に前方へ突出するように形成されている（図１０参照）。
【００４８】
各側面部８３１の長手方向の端部のうち第１エンド部８１と反対側の端部に、それぞれ突部８６が設けられている。各突部８６は、概ね矩形平板状に形成され、対応する側面部８３１の端部から側面部８３１と平行に突出している。なお、各突部８６の後端部分は、内側（上側の突部８６の下側、下側の突部８６の上側）に向かって湾曲している（図８参照）。
【００４９】
エンド部材８の底板部８４は矩形平板状に形成されている。底板部８４は、第２エンド部８２の側面から連結部８３と反対の側に突出している（図１０参照）。底板部８４の前面における先端部分には、１つのねじ止め部８４０及び２つの突起８４１が前方へ突出するように設けられている（図１０参照）。
【００５０】
ねじ止め部８４０は、底板部８４の後面に開口を有する有底円筒形状に形成されている。ねじ止め部８４０は、底板部８４の前面における短手方向（上下方向）のほぼ中央に配置されている。ねじ止め部８４０の内周面には、底板部８４の後面の開口からねじ込まれるタッピンねじ（固定ねじ８００）によってねじ溝が形成される。
【００５１】
２つの突起８４１は、底板部８４の前面における短手方向の両端に配置されている。各突起８４１は、角柱状に形成されている（図１０参照）。
【００５２】
一対の側板部８５は、底板部８４の前面における短手方向（上下方向）の両端から前方へ突出している。各側板部８５は、矩形平板状に形成されている。また、各側板部８５の外側面に係合突起８５０が設けられている。係合突起８５０は、側板部８５の外側面における後端部分から側板部８５の長手方向（左右方向）の全長にわたって直線状に突出している（図１０参照）。
【００５３】
次に、光源ユニット３の組立手順を説明する。ただし、第１のエンド部材８Ａの第２エンド部８２に対する第２電源コネクタ５６及び信号ケーブル５０３の取付と、第２のエンド部材８Ｂの第２エンド部８２に対する第１電源線５２及び信号ケーブル５０４の取付とは事前に完了している。
【００５４】
まず、組立作業を行う作業者は、カバー７の一端（例えば、左端）から保持部７２の一対の突片７２０の間にＬＥＤ基板４１の端部を挿入することにより、カバー７の保持部７２にＬＥＤモジュール４を保持させる（図７及び図８参照）。さらに、作業者は、カバー７の左端部を第１のエンド部材８Ａにおける一対の側面部８３１及び突部８６の間に挿入する。
【００５５】
続いて、作業者は、ＬＥＤモジュール４のプラグコネクタ４５を点灯装置５の出力コネクタ５００に接続する。また、作業者は、第２電源コネクタ５６に接続されている第２電源線５５を点灯装置５の第２端子台５４に接続し、第１信号コネクタ５０５に接続されている信号ケーブル５０３を制御用コネクタ５０１に接続する。さらに、作業者は、第１電源コネクタ５３に接続されている第１電源線５２を点灯装置５の第１端子台５１に接続し、第２信号コネクタ５０６に接続されている信号ケーブル５０４を点灯装置５の制御用コネクタ５０２に接続する。
【００５６】
次に、作業者は、点灯装置５と、ＬＥＤモジュール４を保持させたカバー７とを筐体６に収容する。まず、作業者は、筐体６の左端からカバー７の引掛部７３を挿入し、筐体６の係合突部６４に引掛部７３を係合させて筐体６にカバー７を取り付ける。また、作業者は、回路基板５０の左端に設けられている一対のかん合孔５０７に第１のエンド部材８Ａの一対の突起８４１を後方からかん合させる。作業者は、筐体６の左端から点灯装置５の回路基板５０の上下両側の端部を筐体６の係合溝６３に挿入し、筐体６の係合溝６３に回路基板５０の端部を係合して筐体６に点灯装置５を取り付ける（図７及び図８参照）。さらに、作業者は、第１のエンド部材８Ａの一対の側板部８５の外側面に設けられている係合突起８５０を筐体６の係合溝６３に挿入し、筐体６の係合溝６３に第１のエンド部材８Ａの係合突起８５０を係合して筐体６の左端に第１のエンド部材８Ａを取り付ける（図１１参照）。また、作業者は、第１のエンド部材８Ａの一対の突部８６と、カバー７の一対の脚部７１との間に生じる空間に筐体６の各側壁６１の前端部分を挿入する。なお、第１のエンド部材８Ａの一対の側板部８５によって第２電源線５５の移動範囲が規制されているので、作業者が筐体６の左端に第１のエンド部材８Ａを取り付ける際に第２電源線５５が筐体６と第１のエンド部材８Ａの間に挟み込まれることが防止されている。
【００５７】
続いて、作業者は、カバー７の右端部を第２のエンド部材８Ｂにおける一対の側面部８３１及び突部８６の間に挿入する。さらに、作業者は、第２のエンド部材８Ｂの一対の側板部８５の外側面に設けられている係合突起８５０を筐体６の係合溝６３に挿入し、筐体６の係合溝６３に第２のエンド部材８Ｂの係合突起８５０を係合して筐体６の右端に第２のエンド部材８Ｂを取り付ける。
【００５８】
最後に、作業者は、筐体６にエンド部材８をねじ止めする。具体的には、作業者は、筐体６の底壁６０の左端に設けられているねじ挿通孔６００に、タッピンねじである固定ねじ８００を挿通する。そして、作業者は、ねじ挿通孔６００に挿通した固定ねじ８００を、第１のエンド部材８Ａのねじ止め部８４０にねじ込むことにより、第１のエンド部材８Ａを筐体６にねじ止めする（図７参照）。同様に、作業者は、筐体６の底壁６０の右端に設けられているねじ挿通孔６００に、タッピンねじである固定ねじ８００を挿通する。そして、作業者は、ねじ挿通孔６００に挿通した固定ねじ８００を、第２のエンド部材８Ｂのねじ止め部８４０にねじ込むことにより、第２のエンド部材８Ｂを筐体６にねじ止めする（図７参照）。
【００５９】
以上の手順で光源ユニット３の組立作業が完了する。ただし、上述した組立手順は一例であって、一部の手順の順番を入れ替えることも可能である。
【００６０】
光源ユニット３においては、点灯装置５の回路基板５０に設けられた２つのかん合孔５０７の各々に、エンド部材８の底板部８４に設けられた２つの突起８４１のうちの対応する突起８４１が１つずつかん合されている。ゆえに、光源ユニット３は、１つの突起８４１と１つのかん合孔５０７をかん合させる場合に比べて、回路基板５０とエンド部材８の結合強度の向上を図ることができる。
【００６１】
ところで、複数のかん合部と複数の被かん合部は、複数の突起８４１と複数のかん合孔５０７に限られない。例えば、回路基板５０の長手方向の一端（左端）に、当該一端側が開放された複数の溝が設けられ、エンド部材８の底板部８４から回路基板５０の長手方向に沿って突出する複数の突起が設けられてもよい。光源ユニット３は、複数の突起と複数の溝とを一対一に対応させて、回路基板５０の長手方向に沿ってかん合することにより、回路基板５０の長手方向に沿った点灯装置５の変位を規制してもよい。ただし、２つの突起８４１と２つのかん合孔５０７とが回路基板５０の長手方向と交差する方向（厚み方向）に沿ってかん合する構造の方が、突起８４１とかん合孔５０７とのかん合の強度（かん合の外れ難さ）の向上を図ることができる。
【００６２】
また、複数のかん合部は突起に限定されず、複数の被かん合部は孔に限定されない。例えば、複数のかん合部が底板部８４を厚み方向に貫通する複数の孔であり、複数の被かん合部が回路基板５０の前面又は裏面から突出する突起であっても構わない。ただし、回路基板５０に複数の突起を設けるよりも、底板部８４に複数の突起８４１を設ける方が比較的に容易であり、回路基板５０及びエンド部材８の製造コストの上昇を抑えることができる。
【００６３】
さらに、２つの突起８４１がエンド部材８（第１のエンド部材８Ａ）に設けられているので、２つの突起８４１が第１のエンド部材８Ａと別に設けられる場合と比べて、光源ユニット３の部品点数を減らして製造コストの削減を図ることができる。なお、第１のエンド部材８Ａと筐体６が固定ねじ８００によってねじ締結されているので、光源ユニット３は、２つの突起８４１を支持している底板部８４と筐体６との結合強度の向上を図ることができる。
【００６４】
また、光源ユニット３では、点灯装置５と第１のエンド部材８Ａが筐体６に対して筐体６の長手方向に沿って挿入されて筐体６に収容される。そのため、光源ユニット３は、点灯装置５と第１のエンド部材８Ａをまとめて筐体６に収容させることができ、組立作業の作業性の向上を図ることができる。しかも、光源ユニット３は、一対の係合溝６３を第１のエンド部材８Ａの取付と点灯装置５の取付に兼用しているので、筐体６の構造を簡素化して製造コストの削減を図ることができる。
【００６５】
ここで、光源ユニット３において、カバー７を形成する材料（ポリカーボネート樹脂）とエンド部材８を形成する材料（ＰＢＴ樹脂）とが異なり、かつ、カバー７の長手方向の寸法がエンド部材８の長手方向の寸法よりもかなり大きく（長く）なっている。そのため、光源ユニット３では、ＬＥＤモジュール４の点灯中におけるカバー７の膨張量がエンド部材８の膨張量よりも大きくなると考えられる。したがって、ＬＥＤモジュール４が消灯している状態で第１エンド部８１とカバー７の端部とが接触していると、ＬＥＤモジュール４の点灯中にカバー７が膨張したときにカバー７と第１エンド部８１に過大な応力が生じる可能性がある。
【００６６】
そこで、光源ユニット３においては、常温において第１エンド部８１とカバー７の端部との間に僅かな隙間（例えば、１ｍｍ〜２ｍｍ）が空くようにカバー７の寸法等が設計されている。そのため、ＬＥＤモジュール４の点灯中にカバー７が熱膨張しても第１エンド部８１にカバー７の端部が接触し難くなるので、カバー７と第１エンド部８１に過大な応力が生じる可能性を大きく下げることができる。ただし、カバー７の端部と第１エンド部８１の間に隙間が存在すると、塵埃や虫などの異物が隙間を通して光源ユニット３内（カバー７とＬＥＤモジュール４に囲まれた空間内）に侵入するおそれがある。
【００６７】
そのため、光源ユニット３においては、各エンド部材８Ａ、８Ｂの第１エンド部８１とカバー７の両端部との間に、それぞれシール部３０が配置されている（図７及び図１０）。シール部３０は、例えば、シリコーンゴムによって略半円環状に形成されている（図１０参照）。シール部３０は、第１エンド部８１とカバー７に密着することで第１エンド部８１とカバー７の隙間をシールしている（図７参照）。シール部３０が第１エンド部８１とカバー７の隙間をシールすることにより、光源ユニット３内への異物の侵入を抑えつつ、熱膨張時にカバー７の端部と第１エンド部８１に生じる応力を低減することができる。
【００６８】
器具本体２は、図１に示すように、本体部２０と、一対の支持部材２１とを備えている。本体部２０は、亜鉛鋼板などの金属板によって角樋状に形成されている。本体部２０は、長尺の矩形平板状に形成された底部２００と、底部２００の長手方向（左右方向）に沿った両端（上端及び下端）からそれぞれ前方へ突出する一対の側部２０１とを有している。
【００６９】
底部２００は、一対の被かん合部２０２と、一対の連結部２０５と、一対の取付孔２０６と、複数の突部２０７とを有している。
【００７０】
被かん合部２０２は、３つのかん合孔（第１かん合孔２０２Ａ、第２かん合孔２０２Ｂ、第３かん合孔２０２Ｃ）を有している。第１かん合孔２０２Ａと第２かん合孔２０２Ｂは同一寸法の角孔であり、第３かん合孔２０２Ｃは第１かん合孔２０２Ａ及び第２かん合孔２０２Ｂよりも小さい角孔である。第１かん合孔２０２Ａと第３かん合孔２０２Ｃと第２かん合孔２０２Ｂは、底部２００の長手方向に沿って一列に並ぶように配置されている。つまり、第１かん合孔２０２Ａと第２かん合孔２０２Ｂの間に第３かん合孔２０２Ｃが配置されている。
【００７１】
連結部２０５は、底部２００の長手方向の一端（左端）と他端（右端）にそれぞれ１つずつ設けられている。左側の連結部２０５は、底部２００の左端において、底部２００の短手方向（上下方向）の中央より上の範囲全体から外側（左側）に突出する矩形平板状に形成されている。一方、右側の連結部２０５は、底部２００の右端において、底部２００の短手方向の中央より下の範囲全体から外側（右側）に突出する矩形平板状に形成されている。
【００７２】
取付孔２０６は、底部２００の左端及び右端にそれぞれ１つずつ設けられている。取付孔２０６は長孔である。各取付孔２０６は、長軸の方向を底部２００の長手方向に一致させるように底部２００を貫通している。
【００７３】
複数の突部２０７は、底部２００の左端及び右端にそれぞれ２つずつの計４つ設けられている。各突部２０７は、底部２００の左端及び右端において、取付孔２０６の上下両側から後方に向かって突出するドーム状に形成されている（図１及び図３〜図６参照）。
【００７４】
各側部２０１は、一対の開口部２０３と、一対の規制部２０４と、紐係止部２０８とを有している（図１参照）。
【００７５】
開口部２０３は、側部２０１の左端及び右端における前端部分に１つずつ設けられている。各開口部２０３は、上下方向から見た外形形状が長方形である溝状に形成されている。なお、各開口部２０３は、本体部２０の長手方向において第２かん合孔２０２Ｂと第３かん合孔２０２Ｃとほぼ同じ位置に配置されている。
【００７６】
規制部２０４は、側部２０１において開口部２０３の３つの辺（縁）から側部２０１の外側に突出する３つの突片２０４１と、３つの突片２０４１の先端と繋がった規制片２０４０とを有している。規制片２０４０は、長方形の平板状に形成されている。なお、規制部２０４（規制片２０４０及び３つの突片２０４１）は、側部２０１を構成している金属板が絞り加工されることによって側部２０１と一体に形成されることが好ましい。
【００７７】
紐係止部２０８は、上側の側部２０１の右端と、下側の側部２０１の左端とにそれぞれ１つずつ設けられている（図１参照）。各紐係止部２０８は、正方形状の挿通孔２０８０と、円形の抜け止め孔２０８１と、挿通孔２０８０の１つの頂点と抜け止め孔２０８１とを連結する連結溝２０８２とを有している。紐係止部２０８は、側部２０１を構成している金属板が打ち抜き加工されることによって、挿通孔２０８０と抜け止め孔２０８１と連結溝２０８２が一体に形成されることが好ましい。
【００７８】
支持部材２１は、筐体６の側壁６１に設けられた被係合部６２と係合する一対の係合部２１０と、各係合部２１０を側壁６１の外側面と接離する方向（上下方向）に変位させる変位部２１１とを有している。また、支持部材２１は、係合部２１０が被係合部６２と係合する向きに筐体６を押圧するばね部２１２と、本体部２０に設けられた被かん合部２０２とかん合するかん合部２１３とを有している。さらに、支持部材２１は、矩形平板状の板部２１４を有している。なお、支持部材２１が有する一対の係合部２１０、一対の変位部２１１、ばね部２１２、かん合部２１３並びに板部２１４は、ステンレス鋼板などの金属板が打ち抜き加工及び曲げ加工されることによって一体に形成されている。
【００７９】
一対の変位部２１１は、板部２１４の上端と下端からそれぞれ１つずつ突出している。各変位部２１１は、板部２１４の上端又は下端から斜め前方へ突出する第１変位片２１１Ａと、第１変位片２１１Ａの先端から前方へ突出する第２変位片２１１Ｂとを有している。板部２１４の上端から突出する変位部２１１は上向きに撓むように変位し、板部２１４の下端から突出する変位部２１１は下向きに撓むように変位する。
【００８０】
一対の係合部２１０は、左右方向から見て略Ｕ字状に形成されている。各係合部２１０は、一対の変位部２１１のうちの対応する変位部２１１の第２変位片２１１Ｂの先端（前端）から後方へＵターンするように突出している（図１３参照）。
【００８１】
ばね部２１２は、前方から見て略Ｃ字状に形成されている（図１０及び図１２参照）。ばね部２１２は、板部２１４の左右方向の端から板部２１４と離れる向きに突出している。ばね部２１２の両腕は、板部２１４から離れるにつれて徐々に前方へ突出するように湾曲している。ばね部２１２の両腕を繋いでいるばね部２１２の先端部分は、前方に向かって緩やかに突出している。なお、ばね部２１２の先端部分は、筐体６を押圧する押圧面２１２０と、押圧面２１２０から離れるにつれて筐体６との距離を大きくするように湾曲した曲面２１２１とを有している（図７参照）。
【００８２】
かん合部２１３は、第１かん合片２１３１と、第２かん合片２１３２と、第３かん合片２１３３と、第４かん合片２１３４と、かん合爪２１３５とを有している（図１参照）。ただし、第１かん合片２１３１、第２かん合片２１３２、第３かん合片２１３３、第４かん合片２１３４並びにかん合爪２１３５は、板部２１４に対して切り起こしなどの加工が施されることによって板部２１４と一体に形成されている。
【００８３】
第１かん合片２１３１は、板部２１４の中央部分を後方へ切り起こすようにして鉤形に形成されている。かん合爪２１３５は、第１かん合片２１３１の一部を前方へ切り起こすようにして矩形平板状に形成されている。
【００８４】
第２かん合片２１３２、第３かん合片２１３３並びに第４かん合片２１３４は、板部２１４の左右方向の端のうち、ばね部２１２と反対側の端に設けられている。第２かん合片２１３２は、板部２１４の端における上下方向の中央部分を後方へ切り起こすようにして鉤形に形成されている。第３かん合片２１３３は、板部２１４の端における第２かん合片２１３２の上側の部分で構成されている。第４かん合片２１３４は、板部２１４の端における第２かん合片２１３２の下側の部分で構成されている。第３かん合片２１３３及び第４かん合片２１３４のそれぞれの先端部分が前方へ曲げ起こされている。
【００８５】
支持部材２１は、以下のような手順で本体部２０に固定される。支持部材２１の第１かん合片２１３１が本体部２０の第１かん合孔２０２Ａに前方から挿入され、支持部材２１の第２かん合片２１３２が本体部２０の第２かん合孔２０２Ｂに前方から挿入される。そして、支持部材２１が本体部２０の底部２００と平行に移動させられると、第１かん合片２１３１から切り起こされているかん合爪２１３５が本体部２０の第３かん合孔２０２Ｃに後方から挿入される。また、支持部材２１が本体部２０の底部２００と平行に移動させられると、第２かん合片２１３２が第２かん合孔２０２Ｂの側方へ移動して底部２００の後面に接触する。つまり、支持部材２１は、かん合爪２１３５を第３かん合孔２０２Ｃにかん合させることで底部２００に対する移動を規制し、かつ、第２かん合片２１３２と第３かん合片２１３３及び第４かん合片２１３４とで底部２００を挟むことによって本体部２０に固定される。なお、本体部２０に支持部材２１が固定された状態においては、支持部材２１の係合部２１０及び第２変位片２１１Ｂが、本体部２０の側部２０１の開口部２０３と上下方向において対向している。
【００８６】
次に、照明器具１の施工手順を説明する。
【００８７】
施工作業を行う作業者は、始めに造営材（例えば、壁）に器具本体２を取り付ける。作業者は、本体部２０の一対の取付孔２０６に木ねじなどの取付ねじを挿通して本体部２０を壁にねじ止めする。
【００８８】
続いて、作業者は、光源ユニット３の筐体６を前方から本体部２０に挿入する。作業者は、筐体６の後端における上下両端部分で支持部材２１の係合部２１０を押することにより、支持部材２１の一対の変位部２１１を外向きに撓ませる。そして、変位部２１１の第２変位片２１１Ｂと係合部２１０は、側部２０１の開口部２０３を通過して側部２０１の外に変位する。ただし、第２変位片２１１Ｂと係合部２１０の変位は規制部２０４（規制片２０４０）によって規制される。
【００８９】
作業者は、光源ユニット３の筐体６の後面に支持部材２１のばね部２１２の押圧面２１２０が接触した後もばね部２１２のばね力（押圧力）に抗して本体部２０に筐体６を挿入する。そして、支持部材２１の係合部２１０が側壁６１の凹所６１０に到達すると、撓んでいた変位部２１１が元の状態に戻る。そして、作業者が光源ユニット３から手を離すと、ばね部２１２に押圧された筐体６が前方へ移動し、支持部材２１の係合部２１０が筐体６の被係合部６２と係合する。このようにして、作業者は筐体６を一対の支持部材２１に支持させて光源ユニット３を本体部２０に取り付ける。
【００９０】
上述のように作業者は、ドライバなどの工具を使わずに器具本体２に光源ユニット３を取り付けることができる。そのため、照明器具１は、設置に要する作業時間の短縮を図ることができる。
【００９１】
ここで、被係合部６２は、側壁６１の長手方向の全長にわたって設けられており、筐体６の長手方向において係合部２１０よりも幅広に形成されている。そのため、係合部２１０と被係合部６２とは、側壁６１の長手方向に沿って互いに移動可能に係合している。つまり、光源ユニット３の筐体６は、器具本体２に対して、器具本体２の本体部２０の長手方向に沿って移動可能に支持部材２１に支持されている。このように筐体６が本体部２０の長手方向に沿って移動可能に支持部材２１に支持されているため、筐体６が熱膨張した場合に支持部材２１から筐体６に過大な応力が印加されることを防ぐことができる。ただし、光源ユニット３の筐体６の移動範囲（被係合部６２に対する係合部２１０の移動範囲）は、係合部２１０がエンド部材８の第２エンド部８２に接触しない範囲に限られる。つまり、本実施形態の照明器具１においては、エンド部材８の第２エンド部８２が、係合部２１０の移動範囲を制限する制限部に相当する。
【００９２】
次に、本実施形態の照明システム１０を説明する。照明システム１０は、複数の照明器具１を有している。ただし、照明システム１０が有する複数の照明器具１は、長手方向の大きさ（全長）が異なる数種類の照明器具１を含んでいる。例えば、照明システム１０は、図１４に示すように、標準の長さの照明器具１（１Ａ）と、標準の長さの倍の長さを有する照明器具１（１Ｂ）とを含んでいる。ただし、２台の照明器具１Ａ、１Ｂは長手方向の大きさ（全長）が異なる点を除いてほぼ同じ構成を有している。
【００９３】
２台の照明器具１Ａ、１Ｂは、長手方向に沿って一列に並べて配置される。ここで、照明器具１Ａの器具本体２と照明器具１Ｂの器具本体２は、各々の器具本体２の本体部２０に設けられている連結部２０５によって連結される。本体部２０の長手方向の両端に設けられている連結部２０５は、本体部２０の長手方向に沿った中心線に対して対称である。そのため、各本体部２０の連結部２０５同士が上下方向及び左右方向にかん合することにより、２つの本体部２０同士を長手方向に沿って一列に並ぶように互いに機械的に連結させることができる。
【００９４】
そして、壁に固定された各々の本体部２０に、照明器具１Ａ、１Ｂのそれぞれの光源ユニット３が取り付けられる。この場合、照明器具１Ａの第２電源コネクタ５６と、照明器具１Ｂの第１電源コネクタ５３とが電気的に接続される（図１６）。つまり、２台の照明器具１Ａ、１Ｂには、電源線の送り配線によって交流電力が供給される。また、照明器具１Ａの第１信号コネクタ５０５と、照明器具１Ｂの第２信号コネクタ５０６とが電気的に接続される。つまり、２台の照明器具１Ａ、１Ｂには信号線の送り配線によって制御信号が伝送される。
【００９５】
ここで、光源ユニット３の長手方向の両端においては、カバー７の端部及びエンド部材８の一部が筐体６よりも外側にはみ出している。さらに、筐体６の長手方向の両端の外側には、本体部２０の側部２０１が配置されている。つまり、互いに電気的に接続されている第１電源コネクタ５３と第２電源コネクタ５６、及び互いに電気的に接続されている第１信号コネクタ５０５と第２信号コネクタ５０６の上下方向への移動範囲が一対の側部２０１によって規制される。そのため、前方から見たときに、第１電源コネクタ５３、第２電源コネクタ５６、第１信号コネクタ５０５並びに第２信号コネクタ５０６が器具本体２の外にはみ出さず、照明システム１０の外観品質の向上を図ることができる。しかも、照明器具１（１Ａ；１Ｂ）においては、第１電源コネクタ５３等の移動範囲を規制するための部品が不要であるから、器具本体２及び光源ユニット３とは別の部品を必要とする場合と比較して施工作業の作業性の向上を図ることができる。
【００９６】
また、照明システム１０は、入線金具１１と終端金具１２を有している。
【００９７】
入線金具１１は、図１７及び図１８に示すように、ベース金具１１０と、入線用カバー１１１と、固定ねじ１１２とを有している。ベース金具１１０は、平板状の固定板１１００と、固定板１１００に繋がった平板状の背板１１０１と、背板１１０１の先端から前方へ突出する縦板１１０２と、縦板１１０２の前端から背板１１０１と平行に突出する突片１１０３とを有している（図１８参照）。また、突片１１０３にはめねじ部１１０４が設けられている。
【００９８】
固定板１１００は、長孔からなるねじ挿通孔を有している。本体部２０の取付孔２０６に挿通される取付ねじが固定板１１００のねじ挿通孔にも挿通される。つまり、固定板１１００は、取付ねじによって本体部２０の底部２００に固定される。なお、背板１１０１は本体部２０の外に配置される。
【００９９】
縦板１１０２には第１電線挿通口１１０５と第２電線挿通口１１０６が設けられている。第１電線挿通口１１０５は、縦板１１０２の上部に設けられている。第２電線挿通口１１０６は、縦板１１０２の下部に設けられている。
【０１００】
入線用カバー１１１は、平板状の前板１１１０と、前板１１１０の上端及び下端から後方へ突出する一対の側板１１１１とを有している（図１８参照）。前板１１１０にはねじ挿通孔が貫通している。入線用カバー１１１は、前板１１１０のねじ挿通孔に挿通される固定ねじ１１２がベース金具１１０のめねじ部１１０４にねじ込まれることによってベース金具１１０に固定される。
【０１０１】
終端金具１２は、ベース金具と、終端用カバー１２１と、固定ねじ１２２とを有している（図１９参照）。ベース金具は、入線金具１１のベース金具１１０とほぼ同一の構成を有している。ただし、終端金具１２のベース金具においては、第１電線挿通口及び第２電線挿通口が設けられていない。
【０１０２】
終端用カバー１２１は、入線金具１１の入線用カバー１１１と同じく、平板状の前板１２１０と、前板１２１０の上端及び下端から後方へ突出する一対の側板１２１１とを有している（図１９参照）。前板１２１０にはねじ挿通孔が貫通している。終端用カバー１２１は、前板１２１０のねじ挿通孔に挿通される固定ねじ１２２がベース金具のめねじ部にねじ込まれることによってベース金具に固定される（図１９参照）。
【０１０３】
次に、照明システム１０の施工手順を更に詳しく説明する。
【０１０４】
まず、施工作業を行う作業者は、施工の対象である複数台の照明器具１（１Ａ；１Ｂ）の全ての器具本体２を一列に並ぶように配置して造営材（壁）に固定する。また、作業者は、一列に並んだ複数の器具本体２のうちの一方の端の器具本体２に入線金具１１のベース金具１１０を取り付け、一列に並んだ複数の器具本体２のうちの他方の端の器具本体２に終端金具１２のベース金具を取り付ける。
【０１０５】
作業者は、入線金具１１のベース金具１１０の第１電線挿通口１１０５に電源ケーブル１３を挿通し、ベース金具１１０の第２電線挿通口１１０６に制御信号用の信号ケーブル１４を挿通する。電源ケーブル１３は、外部の電源（例えば、商用の電力系統）に接続されている。ただし、電源ケーブル１３の先端には、第１電源コネクタ５３と同一の構造を有するプラグコネクタが接続されている。また、信号ケーブル１４は、制御信号の送信元であるコントローラに接続されている。ただし、信号ケーブル１４の先端には、第２信号コネクタ５０６と同一の構造を有するプラグコネクタが接続されている。
【０１０６】
続いて、作業者は、光源ユニット３の紐保持金具８２２に保持されている紐の先端部分を、ベース金具１１０を取り付けた器具本体２の紐係止部２０８に係止する。すなわち、作業者は、光源ユニット３と器具本体２を紐で繋ぐことによって、作業中の光源ユニット３の落下を防止している。
【０１０７】
作業者は、第１電線挿通口１１０５に挿通した電源ケーブル１３の先端に接続されたプラグコネクタを光源ユニット３の第２電源コネクタ５６に接続する。また、作業者は、第２電線挿通口１１０６に挿通した信号ケーブル１４の先端に接続されたプラグコネクタを光源ユニット３の第１信号コネクタ５０５に接続する。
【０１０８】
作業者は、光源ユニット３の第２電源コネクタ５６及び第１信号コネクタ５０５が配置されている側の筐体６の端部を器具本体２の本体部２０に挿入した後、光源ユニット３を回転させながら筐体６全体を本体部２０に挿入する。そして、作業者は、器具本体２の２つの支持部材２１に筐体６を支持させるようにして器具本体２に光源ユニット３を取り付ける。
【０１０９】
続いて、作業者は、最初に器具本体２に取り付けた光源ユニット３の第１電源コネクタ５３に、２台目の光源ユニット３の第２電源コネクタ５６を接続する。また、作業者は、最初に器具本体２に取り付けた光源ユニット３の第２信号コネクタ５０６に、２台目の光源ユニット３の第１信号コネクタ５０５を接続する。
【０１１０】
作業者は、２台目の光源ユニット３の第２電源コネクタ５６及び第１信号コネクタ５０５が配置されている側の筐体６の端部を２台目の器具本体２の本体部２０に挿入した後、２台目の光源ユニット３を回転させながら筐体６全体を本体部２０に挿入する。そして、作業者は、２台目の器具本体２の２つの支持部材２１に筐体６を支持させるようにして２台目の器具本体２に２台目の光源ユニット３を取り付ける。そして、作業者は、上述した手順を繰り返しながら、複数台の器具本体２の各々に、各器具本体２と対応する光源ユニット３を１台ずつ取り付ける。
【０１１１】
作業者は、終端金具１２のベース金具を取り付けた器具本体２に最後の光源ユニット３を取り付けた後、ベース金具に終端用カバー１２１をねじ止めして取り付ける。このとき、作業者は、ベース金具と終端用カバー１２１に囲まれた終端金具１２の内部に、最後の光源ユニット３の第１電源コネクタ５３と第２信号コネクタ５０６を収容する（図１９参照）。
【０１１２】
上述した手順によって照明システム１０の施工作業が完了する。照明システム１０は、複数台の照明器具１が送り配線によって外部の電源と接続されており、外部の電源からの給電を入切することで全ての照明器具１を点滅させることができる。また、照明システム１０は、複数台の照明器具１が送り配線によってコントローラと接続されており、コントローラから各照明器具１に伝送される制御信号により、全ての照明器具１を調光制御することができる。
【０１１３】
ここで、合成樹脂製の筐体６が熱膨張することを考慮して、隣接する２台の照明器具１（１Ａ；１Ｂ）の光源ユニット３の間に隙間Ｓ１が設けられている（図１６参照）。この隙間Ｓ１の大きさ（距離）は、例えば、５ｍｍ程度が好ましい。
【０１１４】
また、各照明器具１（１Ａ；１Ｂ）において、被係合部６２に対する係合部２１０の移動範囲は、２台の光源ユニット３の間の隙間Ｓ１の半分以下（例えば、２．５ｍｍ）であることが好ましい。つまり、各照明器具１（１Ａ；１Ｂ）における係合部２１０の移動範囲は、隣接した２台の照明器具１（１Ａ；１Ｂ）の光源ユニット３同士が接触しても２台の光源ユニット３の間に過大な応力が発生しない程度の範囲に設定されている。
【０１１５】
上述のように本発明の第１の態様に係る照明装置（光源ユニット３）は、長尺の基板（ＬＥＤ基板４１）の前面に１つ以上のＬＥＤ（４０）が実装されたＬＥＤモジュール（４）を備える。照明装置（光源ユニット３）は、長尺の回路基板（５０）を有してＬＥＤモジュール（４）を点灯させる点灯装置（５）を備える。照明装置（光源ユニット３）は、ＬＥＤモジュール（４）及び点灯装置（５）を収容する筐体（６）と、筐体（６）に対する点灯装置（５）の変位を規制する規制部材（第１のエンド部材８Ａ）とを備える。筐体（６）は、長尺の底壁（６０）と、底壁（６０）の長手方向に沿った両端から前方へ突出する一対の側壁（６１）とを有する。一対の側壁（６１）の各々は、回路基板（５０）の長手方向に沿った両端縁と回路基板（５０）の長手方向に沿って変位可能に係合する係合溝（６３）を有する。規制部材（第１のエンド部材８Ａ）は、筐体（６）に固定される固定部（ねじ止め部８４０）と、複数のかん合部（突起８４１）と、固定部（ねじ止め部８４０）及び複数のかん合部（突起８４１）を支持する支持体（底板部８４）とを有する。回路基板（５０）は、回路基板（５０）の長手方向の端部に設けられて複数のかん合部（突起８４１）のうちの対応する１つのかん合部（突起８４１）とかん合する複数の被かん合部（かん合孔５０７）を有する。
【０１１６】
第１の態様に係る照明装置（光源ユニット３）は、１つのかん合部と１つの被かん合部をかん合させる場合に比べて、回路基板（５０）と規制部材（第１のエンド部材８Ａ）の結合強度の向上を図ることができる。
【０１１７】
本発明の第２の態様に係る照明装置（光源ユニット３）は、第１の態様との組み合わせにより実現され得る。第２の態様に係る照明装置（光源ユニット３）において、複数の被かん合部（かん合孔５０７）の各々は、回路基板（５０）の長手方向と交差する方向に沿って複数のかん合部（突起８４１）のうちの対応する１つのかん合部（突起８４１）とかん合するように回路基板（５０）に設けられていることが好ましい。
【０１１８】
第２の態様に係る照明装置（光源ユニット３）は、かん合部（突起８４１）と被かん合部（かん合孔５０７）を回路基板（５０）の長手方向に沿ってかん合させる場合に比べて、両者のかん合強度の向上を図ることができる。
【０１１９】
本発明の第３の態様に係る照明装置（光源ユニット３）は、第２の態様との組み合わせにより実現され得る。第３の態様に係る照明装置（光源ユニット３）において、複数のかん合部（突起８４１）の各々は、回路基板（５０）の厚み方向に沿って支持体（底板部８４）から突出する突起状に形成されることが好ましい。複数の被かん合部（かん合孔５０７）の各々は、回路基板（５０）を厚み方向に貫通する孔状に形成されていることが好ましい。
【０１２０】
第３の態様に係る照明装置（光源ユニット３）では、回路基板（５０）に複数の突起状のかん合部を設けるよりも支持体（底板部８４）に複数の突起状のかん合部（突起８４１）を設ける方が容易である。その結果、第３の態様に係る照明装置（光源ユニット３）は、回路基板（５０）及び規制部材（第１のエンド部材８Ａ）の製造コストの上昇を抑えることができる。
【０１２１】
本発明の第４の態様に係る照明装置（光源ユニット３）は、第１〜第３の態様のいずれか１つの態様との組み合わせにより実現され得る。第４の態様に係る照明装置（光源ユニット３）において、底壁（６０）は、底壁（６０）を前後方向に貫通するねじ挿通孔（６００）を有することが好ましい。固定部（ねじ止め部８４０）は、ねじ挿通孔（６００）に挿通されるねじ（固定ねじ８００）とねじ締結されることが好ましい。
【０１２２】
第４の態様に係る照明装置（光源ユニット３）は、固定部（ねじ止め部８４０）による筐体（６）と支持体（底板部８４）との結合強度の向上を図ることができる。
【０１２３】
本発明の第５の態様に係る照明装置（光源ユニット３）は、第１〜第４の態様のいずれか１つの態様との組み合わせにより実現され得る。第５の態様に係る照明装置（光源ユニット３）において、筐体（６）の長手方向の両端に取り付けられて筐体（６）の長手方向の端部を閉じるエンド部材（第１のエンド部材８Ａ）を備えることが好ましい。エンド部材（第１のエンド部材８Ａ）は、規制部材を有していることが好ましい。
【０１２４】
第５の態様に係る照明装置（光源ユニット３）は、規制部材がエンド部材（第１のエンド部材８Ａ）と別体に設けられる場合に比べて、部品点数の削減による製造コストの削減を図ることができる。
【０１２５】
本発明の第６の態様に係る照明装置（光源ユニット３）は、第５の態様との組み合わせにより実現され得る。第６の態様に係る照明装置（光源ユニット３）において、エンド部材（８）は、筐体（６）に設けられる被係合部（係合溝６３）に対して、筐体（６）の長手方向に沿って被係合部（係合溝６３）に係合する係合突起（８５０）を有することが好ましい。
【０１２６】
第６の態様に係る照明装置（光源ユニット３）は、点灯装置（５）とエンド部材（第１のエンド部材８Ａ）を続けて筐体（６）に収容させることができ、組立作業の作業性の向上を図ることができる。
【０１２７】
本発明の第７の態様に係る照明装置（光源ユニット３）は、第６の態様との組み合わせにより実現され得る。第７の態様に係る照明装置（光源ユニット３）において、被係合部は、側壁（６１）の係合溝（６３）からなることが好ましい。
【０１２８】
第７の態様に係る照明装置（光源ユニット３）は、複数の被係合部（係合溝６３）をエンド部材（第１のエンド部材８Ａ）の取付と点灯装置（５）の取付に兼用しているので、筐体（６）の構造を簡素化して製造コストの削減を図ることができる。
【０１２９】
本発明の第８の態様に係る照明装置（光源ユニット３）は、第５〜第７の態様のいずれか１つの態様との組み合わせにより実現され得る。第８の態様に係る照明装置（光源ユニット３）において、点灯装置（５）は、回路基板（５０）から回路基板（５０）の長手方向に沿って引き出される電線（第２電源線５５）を有することが好ましい。エンド部材（８）は、回路基板（５０）の短手方向に沿って電線（第２電源線５５）と対向する側板部（８５）を有することが好ましい。
【０１３０】
第８の態様に係る照明装置（光源ユニット３）は、エンド部材（第１のエンド部材８Ａ）の側板部（８５）によって電線（第２電源線５５）の移動範囲が規制されている。そのため、第８の態様に係る照明装置（光源ユニット３）は、筐体（６）にエンド部材（第１のエンド部材８Ａ）が取り付けられる際に電線（第２電源線５５）が筐体（６）とエンド部材（第１のエンド部材８Ａ）の間に挟み込まれることを防止できる。
【０１３１】
本発明の第９の態様に係る照明器具（１）は、第１〜第８の態様のいずれかの態様に係る照明装置（光源ユニット３）と、照明装置（光源ユニット３）を支持する器具本体（２）とを有する。
【０１３２】
第９の態様に係る照明器具（１）は、回路基板（５０）と規制部材（第１のエンド部材８Ａ）の結合強度の向上を図ることができる。
【０１３３】
本発明の第１０の態様に係る照明システム（１０）は、第９の態様に係る照明器具（１）を複数有している。複数の照明器具（１Ａ；１Ｂ）は、一列に並べて配置された状態で隣り合う２つの照明器具（１Ａ；１Ｂ）を互いに電気的に接続する接続部（第１端子台５１、第１電源線５２、第１電源コネクタ５３、第２端子台５４、第２電源線５５、第２電源コネクタ５６）を有している。
【０１３４】
第１０の態様に係る照明システム（１０）は、回路基板（５０）と規制部材（第１のエンド部材８Ａ）の結合強度の向上を図ることができる。
【符号の説明】
【０１３５】
１  照明器具
１Ａ；１Ｂ  照明器具
２  器具本体
３  光源ユニット（照明装置）
４  ＬＥＤモジュール
５  点灯装置
６  筐体
８  エンド部材
８Ａ  第１のエンド部材
１０  照明システム
４０  ＬＥＤ
４１  ＬＥＤ基板（基板）
５０  回路基板
５１  第１端子台（接続部）
５２  第１電源線（接続部）
５３  第１電源コネクタ（接続部）
５４  第２端子台（接続部）
５５  電線（第２電源線）
５６  第２電源コネクタ（接続部）
６０  底壁
６１  側壁
６３  係合溝
８４  底板部
５０７  かん合孔
６００  ねじ挿通孔
８００  固定ねじ
８４０  ねじ止め部
８４１  突起
【図１】
2019067629.tif 000003
【図２】
2019067629.tif 000004
【図３】
2019067629.tif 000005
【図４】
2019067629.tif 000006
【図５】
2019067629.tif 000007
【図６】
2019067629.tif 000008
【図７】
2019067629.tif 000009
【図８】
2019067629.tif 000010
【図９】
2019067629.tif 000011
【図１０】
2019067629.tif 000012
【図１１】
2019067629.tif 000013
【図１２】
2019067629.tif 000014
【図１３】
2019067629.tif 000015
【図１４】
2019067629.tif 000016
【図１５】
2019067629.tif 000017
【図１６】
2019067629.tif 000018
【図１７】
2019067629.tif 000019
【図１８】
2019067629.tif 000020
【図１９】
2019067629.tif 000021